(57)【要約】      （修正有）【課題】ランプを収納し又は交換する際に開閉する開閉扉を有しながらランプの寸法が大きくなった場合でも小型化できるランプボックスと、ランプボックスを使用しても小型化できる光触媒フィルタ装置を提供する。【解決手段】ランプボックス１は、主にランプボックス本体３と、互いに平行に配置した断面Ｌ字状の開閉扉４とソケット支持板６とにより構成され、開閉扉４は蝶番５によりランプボックス本体３に固定し、ソケット支持板６はソケット支柱７ａをソケット支柱貫通孔１１に通してソケット支持底面部６ａを開閉扉底面部４ａよりも外側に配置し、ソケット支持側面部６ｂをソケット支持側面部貫通孔１２に通して開閉扉側面部４ｂよりも内側に配置し、開閉扉側面部４ｂに対しランプ２の光照射方向に進退自在にスライドするスライド機構部材を備える。光触媒フィルタ装置は、ランプボックス１を使用する光触媒フィルタ装置である。【選択図】        図１
2004296244.tif 000002
【特許請求の範囲】
【請求項１】
ともに断面Ｌ字状である開閉扉とソケット支持板とが互いに平行に配置されて、２つの平面を形成し、残りの４つの平面を形成するランプボックス本体と一体となって直方体形状を形成し、その内部にランプが収納されるランプボックスにおいて、
前記開閉扉は、板状の開閉扉底面部と開閉扉側面部とを有し、前記開閉扉底面部における前記開閉扉側面部とは反対側の端部が、前記ランプボックス本体の端部に設けられた蝶番に固定され、前記開閉扉底面部に開設された貫通孔にソケットの支柱部を貫通させ、
前記ソケット支持板は、板状のソケット支持底面部とソケット支持側面部とを有し、前記ソケット支持底面部が前記ソケットの支柱部を貫通させて支持固定するとともに、前記開閉扉底面部よりも外側に配置されて、前記ソケット支持側面部が、前記開閉扉側面部よりも内側に配置されるように、前記開閉扉底面部における前記蝶番とは反対側の端部に開設された貫通孔を通して前記開閉扉側面部に対して前記ランプの光照射方向に進退自在にスライドするスライド機構部材を備えていることを特徴とするランプボックス。
【請求項２】
請求項１に記載のランプボックスにおいて、前記スライド機構部材が、前記ソケット支持側面部の中央付近に固定された突起支柱を有する突起部と、前記開閉扉側面部に前記突起支柱を挿入させるためのスライド溝とを有していることを特徴とするランプボックス。
【請求項３】
請求項２に記載のランプボックスにおいて、前記スライド溝における前記開閉扉底面部側の端部が重力の方向に傾斜した位置にあることを特徴とするランプボックス。
【請求項４】
請求項１から請求項３の何れかに記載のランプボックスにおいて、前記ソケット支持側面部における前記ソケット支持底面部とは反対側の端部に固定されたラッチは、前記ソケット支持側面部が前記ランプの光照射方向に進行して、前記ラッチに対向する前記ランプボックス本体の端部と当接することにより、前記開閉扉の開閉が停止されることを特徴とするランプボックス。
【請求項５】
請求項４に記載のランプボックスにおいて、前記スライド機構部材のスライドを停止させる手段を有することを特徴とするランプボックス。
【請求項６】
請求項１から請求項５に記載の何れかのランプボックスにおいて、前記ランプ２の過熱を防止する冷却手段を備えたことを特徴とするランプボックス。
【請求項７】
請求項１から請求項６に記載の何れかのランプボックスと光触媒フィルタ装置とを備え、前記ランプボックス内部に収納された前記ランプの光照射方向と、前記光触媒フィルタ装置が備える光入射窓とが対向して設置されていることを特徴とするランプボックスを使用した光触媒フィルタ装置。
【発明の詳細な説明】
【０００１】
【発明が属する技術分野】
本発明は、ランプを収納する際、又はランプを交換する際に、開閉する開閉扉を備えたランプボックスに関する。
【０００２】
【従来の技術】
図４は、従来のランプボックスを示す一部断面図である。
このランプボックス６０は、ランプ６１を収納するものであって、蝶番５の固定片がこのランプボックス６０の外側面に固定されて、この蝶番５の回転片に固定された開閉扉６２と、この開閉扉６２の内側面に固定された、ランプ６１を支持するためのランプ支持枠６３と、ランプ６１に接続されるソケット６４と、このソケット６４よりリード線６５を介して接続されるコネクタ６６とを内蔵している。なお、開閉扉６２の外側面には把手６７が取り付けられており、開閉扉６２における蝶番５とは反対側の端部と、この端部に対向するランプボックス６０とが固定ネジ６８により固定される。
ランプを収納し、又は交換する際は、固定ネジ６８を外した状態で、把手６７を手にして引張る、即ち、開閉扉６２を蝶番５を支点にして回転させて、開くことができる。
【特許文献１】特開平１０−３１１６３号公報（第５頁、図１）
【０００３】
【発明が解決しようとする課題】
しかしながら、このようなランプボックス６０は、内蔵するランプ６１等の寸法が大きくなった場合、ランプボックス６０の寸法も大きくしなければならない。例えば、ランプ６１の長手方向の寸法が大きくなった場合、ランプボックス６０の長手方向の寸法も大きくする必要があった。
また、開閉扉６２の開閉時において、ランプボックス６０に内蔵された、例えばランプ６１と衝突する物があった場合、その衝突を避けるための開閉空間を予め設けておく必要があることから、その開閉空間分だけ、ランプボックス６０の内部空間を大きくしなければならないという課題も残されていた。
そして、ランプボックス６０を使用する光触媒フィルタ装置は、ランプボックス６０が上記の課題が未解決であったことから、その長手方向の寸法が大きくなるという課題があった。
【０００４】
そこで、本発明が解決しようとする課題は、ランプを収納し、又は交換する際に、開閉する開閉扉を有しながら、ランプの寸法が大きくなった場合でも、小型化することができるランプボックスを提供することであり、また、開閉扉の開閉時において、ランプボックスに内蔵された物とランプとの衝突を避けることができるランプボックスを提供することであり、また、ランプの収納又は交換を容易に行うことができるランプボックスを提供することであり、さらに、ランプボックスを光触媒フィルタ装置に使用しても小型化できるランプボックスとを提供することである。
【０００５】
上記した課題を解決するために、本発明は、ともに断面Ｌ字状である開閉扉とソケット支持板とが互いに平行に配置されて、２つの平面を形成し、残りの４つの平面を形成するランプボックス本体と一体となって直方体形状を形成し、その内部にランプが収納されるランプボックスにおいて、前記開閉扉は、板状の開閉扉底面部と開閉扉側面部とを有し、前記開閉扉底面部における前記開閉扉側面部とは反対側の端部が、前記ランプボックス本体の端部に設けられた蝶番に固定され、前記開閉扉底面部に開設された貫通孔にソケットの支柱部を貫通させ、前記ソケット支持板は、板状のソケット支持底面部とソケット支持側面部とを有し、前記ソケット支持底面部が前記ソケットの支柱部を貫通させて支持固定するとともに、前記開閉扉底面部よりも外側に配置されて、前記ソケット支持側面部が、前記開閉扉側面部よりも内側に配置されるように、前記開閉扉底面部における前記蝶番とは反対側の端部に開設された貫通孔を通して前記開閉扉側面部に対して前記ランプの光照射方向に進退自在にスライドするスライド機構部材を備えていることを特徴とするランプボックスである。
【０００６】
次に、本発明に係るランプボックスは、前記スライド機構部材が、前記ソケット支持側面部の中央付近に固定された突起支柱を有する突起部と、前記ソケット支持側面部に前記突起支柱を挿入させるためのスライド溝とを有していることが好ましい。
【０００７】
次に、本発明に係るランプボックスは、前記スライド溝における前記開閉扉底面部側の端部が重力の方向に傾斜した位置にあることが好ましい。
【０００８】
次に、本発明に係るランプボックスは、前記ソケット支持側面部における前記ソケット支持底面部とは反対側の端部に固定されたラッチが、前記ソケット支持側面部が前記ランプの光照射方向に進行して、前記ラッチに対向する前記ランプボックス本体の端部と当接することにより、前記開閉扉の開閉が停止されることが好ましい。
【０００９】
次に、本発明に係るランプボックスは、前記スライド機構部材のスライドを停止させる手段を有することが好ましい。
【００１０】
次に、本発明に係るランプボックスは、前記ランプの過熱を防止する冷却手段を有することが好ましい。
【００１１】
そして、本発明に係るランプボックスと光触媒フィルタ装置とを備え、前記ランプボックス内部に収納された前記ランプの光照射方向と、前記光触媒フィルタ装置が備える光入射窓とが対向して設置されていることを特徴とするランプボックスを使用した光触媒フィルタ装置である。
上記した光触媒フィルタ装置は、漏光型光触媒フィルタ装置であることが好ましい。
【００１２】
本発明に係るランプボックスによれば、スライド機構部材により、ランプを挿入固定したソケットの支柱部を支持するソケット支持板をランプの照射方向と逆の向きに後退した状態を得て、このようなソケット支持板を固定した開閉扉側面部を有する開閉扉が蝶番を支点にして開閉することから、ランプボックスに内蔵されたランプとその他の物との衝突を避けることができる。
【００１３】
そして、開閉扉を閉じてランプを収納したとき、前述した後退した状態とは逆向きに、ランプ（及びランプを挿入固定するためのソケットとソケットを支持するソケット支持板）を進行させて、ランプボックスの内部寸法を小型化することができる。
【００１４】
【発明の実施の形態】
【実施例１】
図１及び図２を使用して、本発明に係るランプボックスの実施の形態を説明する。
図１（ａ）はランプボックス１の側面図を示し、図１（ｂ）は図１（ａ）のＸ−Ｘ線箇所の一部断面図を示し（矢印はランプ２の光照射方向を示す）、図１（ｃ）はランプボックス１の底面部を示し、図１（ｄ）はランプボックス１の開閉扉側面部４ｂに設けられたスライド溝１８を示す。
【００１５】
図２（ａ）はソケット支持板６をランプ２の光照射方向と反対向きに後退させた状態のランプボックス１の側面図を示し、図２（ｂ）は図２（ａ）のランプボックス１を開いた状態における、Ｘ−Ｘ線箇所の一部断面図を示す。
【００１６】
ランプボックス１に収納されるランプ２は、ブラックライト電球形蛍光ランプであり、ランプボックス１の長手方向（ランプの光照射方向でもある。）に平行に収納される。
【００１７】
ランプボックス１は、鋼板製で、直方体形状を有し、主に、ランプボックス本体３と、開閉扉４と、ソケット支持板６とにより構成され、内部空間が形成される。
【００１８】
ランプボックス本体３は、ランプボックス１を構成する６つの平面のうち、後述する断面Ｌ字形状の開閉扉４とソケット支持板６により形成される２つの平面を除く、４つの平面を形成する。
【００１９】
開閉扉４は、断面Ｌ字状の板材であり、互いに直交する開閉扉底面部４ａと開閉扉側面部４ｂとを有する。
【００２０】
開閉扉底面部４ａにおける開閉扉側面部４ｂとは反対側の端部は、ランプボックス本体３の端部の内側面に、固定片をネジ止めして固定した蝶番５の回転片に、ネジ止めして固定する（図１（ｂ）及び図２（ｂ）参照）。
【００２１】
開閉扉底面部４ａは、後述するソケット７のソケット支柱部７ａを貫通させるためのソケット支柱貫通孔１１と、後述するソケット支持側面部６ｂを貫通させるためのソケット支持側面部貫通孔１２を有している（図１（ｂ）及び図１（ｃ）参照）。
【００２２】
開閉扉側面部４ｂは、そのほぼ中央に、後述するソケット支持板６を開閉扉側面部４ｂに対してランプ２の光照射方向（開閉扉側面部４ｂの長手方向）に進退自在にスライド可能にするためのスライド溝１８を開設している（図１（ａ）及び図２（ａ）参照）。
【００２３】
スライド溝１８は、その開閉扉底面部４ａ側の端部１８ａが、ランプ２の光照射方向を水平とした場合、重力の方向に傾斜して設けられ、その傾斜角θは本例では４５°に選定されている。この傾斜角θは０°〜９０°の範囲、好ましくは１５°〜６０°の範囲から選定される。（図１（ｄ）参照）。
【００２４】
ソケット支持板６は、後述するソケット７を支持するための断面Ｌ字状の鋼板製の板材であり、前述した開閉扉底面部４ａと開閉扉側面部４ｂにそれぞれ平行な（すなわち直交する）ソケット支持底面部６ａとソケット支持側面部６ｂとを有している。
【００２５】
ソケット支持板６は、ソケット支持底面部６ａを開閉扉底面部４ａよりも外側に、ソケット支持側面部６ｂを開閉扉側面部４ｂよりも内側に配置されるように、ソケット支持側面部６ｂをソケット支持側面部貫通孔１２に通している（図１（ｂ）及び図２（ｂ）参照）。
【００２６】
ソケット７は、内部にランプ２の口金を取り付けるための受け金を備えた円筒状のソケット支柱部７ａと、ソケット７をソケット支持底面部６ａに固定するためのソケットフランジ７ｂと、ランプ２に電源供給するための端子７ｃとから構成されている。端子７ｃは、図示しない電源と接続される。
【００２７】
ソケット支持底面部６ａは、そのほぼ中央に、ソケット支柱部７ａを貫通させるための孔を備えており、ソケット支柱部７ａをこの孔に貫通させて、ソケットフランジ７ｂをこのソケット支持底面部６ａにネジ止めすることにより、このソケット７が固定される（図１（ｂ）及び図１（ｃ）参照）。
【００２８】
スライド機構部材は、前述したスライド溝１８と、このスライド溝１８をソケット支持側面部６ｂの内側から外側に向けて貫通して突起支柱となる固定ネジ１３と、この固定ネジ１３に対して開閉扉側面部４ｂの外側からネジ止めする固定ナット１４とを有して、この固定ナット１４を固定ネジ１３にネジ止めすることにより、ソケット支持板６が開閉扉４に固定される。なお、固定ネジ１３は、ソケット支持側面部６ｂの内側面に溶接等で固定されている（図１（ｂ）及び図２（ｂ）参照）。
【００２９】
そして、スライド溝１８の長手方向の距離を調整して、その長手方向の距離を確保した上で、スライド溝１８に貫通した固定ネジ１３の固定すべき位置を調整することにより、ランプボックス１内におけるランプ２の位置を調整することができる。この位置の調整により、ランプ２とランプ２が放射する光を照射する被照射物（例えば、後述する実施例２の光触媒フィルタ装置）との距離の調整や、被照射物に照射する光の強度を調整することができる。
【００３０】
ソケット支持側面部６ｂにおけるソケット支持底面部６ａと反対側の端部には、開閉扉４の開閉を停止するためのラッチ２３が溶接等で取り付けられている。ラッチ２３は、ソケット支持側面部６ｂがランプ２の光照射方向に進行して、ラッチ２３の先端部の外側面が、これと対向するランプボックス本体３の上面部３ａの端部に開閉扉底面部４ａに向けて直角加工された固定部２４の内側面と当接して、開閉扉４の開閉が停止される。
【００３１】
ランプボックス本体３の上面部３ａのほぼ中央付近に、ランプ２の先端部を収納し、その先端部から放射する光を反射するアルミニウム合金製の円筒状部材２２がネジ止め等により取り付けられている。ランプ２と円筒状部材２２とは、それぞれの中心軸を一致させている。
【００３２】
そして、ランプ２に所定の電力を供給して、ランプ２を点灯させると、ランプ２の先端部からランプボックス１の外部に向けて光が放射される。なお、ランプ２から放射される直接光と共に、その光の一部が円筒状部材２２の内側面と反射した反射光が加わっていることから、光の放射効率を向上させることができる。
【００３３】
次に、本発明の第１の実施の形態におけるランプ２の収納について説明する。まず、固定ナット１４を緩め、固定ネジ１３をスライド溝１８に沿って、スライド溝１８の端部１８ａに向かってスライドさせて、ソケット支持板６をランプ２の光照射方向と反対向きに後退させる。固定ネジ１３をスライド溝１８の端部１８ａに移動し、ラッチ２３をランプボックス本体３の固定部２４より外す（図２（ａ）参照）。
【００３４】
開閉扉４を開き、ランプ２をソケット７に取り付け、開閉扉４を閉じる（図２（ａ）及び図２（ｂ）参照）。
【００３５】
そして、固定ネジ１３をスライド溝１８に沿って、その端部１８ｂに向かってスライドさせ、ソケット支持板６をランプ２の光照射方向に前進させる。固定ネジ１３をスライド溝１８の端部１８ｂに移動し、ランプ２の先端部をランプボックス１内部の円筒状部材２２に収納し、ソケット支持板６のラッチ２３の先端の外側面をランプボックス本体３の固定部２４の内側面に当接させ、開閉扉４の開閉を停止させた状態で、固定ナット１４を締める（図１（ａ）参照）。
【００３６】
ランプ２を取り外す場合は、上記の手順と逆の手順による。
【００３７】
本実施の形態のランプボックス１は、開閉扉４の開閉時において、上記の通り固定ネジ１３をスライド溝１８の端部１８ａに移動させているので、ソケット支持板６（及びソケット７とランプ２）は後退した状態で開閉扉側面部４ｂに保持されており、この開閉扉側面部４ｂを有する開閉扉４が、蝶番５を支点にして開閉することから、ランプ２とランプボックス１に内蔵された円筒状部材２２などの物との衝突を避けることができる（図２（ａ）及び図２（ｂ）参照）。
【００３８】
そして、開閉扉４を閉じてランプ２をランプボックス１に収納したとき、ランプ２（及びソケット７とソケット７を支持するソケット支持板６）を光照射方向に進行させるので、ランプボックス１の寸法を小型化することができる（図１（ａ）及び図２（ａ）参照）。
【００３９】
また、開閉扉４は、上記の通り、ラッチ２３と固定部２４との当接により、開閉を停止されるので、誤って開閉扉４を開くことを防止し、その結果、ランプ２を円筒状部材２２と衝突させて破損させることを防止できる（図１（ｂ）参照）。
【００４０】
【実施例２】
図３は、本発明に係る第２の実施の形態のランプボックス３１，３１を使用した光触媒フィルタ装置３０の側面の一部断面図を示す。ここで、白抜きの矢印はランプ２の光照射方向を示し、実線の矢印は被処理流体４５の流れを示し、破線の矢印はランプボックス３１の内部を通る冷却のための空気の流れを示す。
【００４１】
光触媒フィルタ装置３０は、２つのランプボックス３１，３１を使用している。
【００４２】
ランプボックス３１は、その内部に収納するランプ２の冷却手段を備えていることを除いて、その基本的構成が、図１及び図２に示したランプボックス１と同一であることより、その実施の形態については、図１及び図２の関連記載をもって、その説明に代え、以下、冷却手段についてのみ説明する。
【００４３】
ランプボックス３１の開閉扉側面部は、図３に示すことができないが、この図３において、ランプボックス３１の手前側の側面部であり、図１（ｂ）及び図２（ｂ）に示した開閉扉側面部４ｂに相当する。このような開閉扉側面部と直交する一方の側面部３３は、そのほぼ中央部に、空気を吸気するための吸気孔３５を開設し、この吸気孔３５には、空気中の埃などの異物を取り除く、金属製の枠内に保持された不織布製のエアフィルタ３７をネジ止め等により取り付けている。
【００４４】
ランプボックス本体３２の側面部３３と対向する側面部３４は、そのほぼ中央に排気孔３６が開設され、この排気孔３６には、ランプボックス３１の内部の空気を強制的に排気するための排気ファン３８がネジ止めにより取り付けてある。この排気ファン３８には、図示しない電源が接続される。
【００４５】
そして、排気ファン３８に所定の電力を供給して排気ファン３８を回転させると、ランプボックス３１の側面部３３の外側面側の周囲の空気がエアフィルタ３７を通って吸入孔３５よりランプボックス３１内に吸気され、ランプボックス３１の内部を通り、排気孔３６より排気ファン３８を通ってランプボックス３１外に排気することにより、ランプボックス３１内に空気の流れが生じ、この空気の流れによってランプ２を冷却することができる。
【００４６】
光触媒フィルタ装置３０は、漏光型光触媒フィルタ装置であり、ガラスファイバの外側面に光触媒層を設けた光触媒ファイバを多数束ねた光触媒ファイバ束４４を収納した円筒状ケース４７と、その長手方向の一方の端部に、光触媒ファイバ束４４に光を入射させるための光入射窓５２ａと被処理流体４５を流入させるための流入孔４９とを備えたフランジ４８ａと、もう一方の端部に光触媒ファイバ束４４に光を入射させるための光入射窓５２ｂと被処理流体４５を流出させるための流出孔５３とを備えたフランジ４８ｂとから構成される。
【００４７】
上記した光入射窓５２ａ，５２ｂは、ランプボックス３１，３１内に収納させたランプ２，２の光照射方向と対向するように、設置される。
【００４８】
次に、ランプボックス３１，３１を使用した光触媒フィルタ装置３０の動作を説明する。
被処理流体４５を光触媒フィルタ装置３０の流入孔４９より流入して、光触媒ファイバ束４４に流す。
【００４９】
ランプ２，２に所定の電力を供給して点灯し、ランプボックス３１，３１の排気ファン３８，３８に所定の電力を供給すると、排気ファン３８，３８が回転して、上記の通りランプ２が冷却され、ランプ２の温度は、その発光強度の低下を防止した４０℃以下の温度に維持される。
【００５０】
ランプ２，２より放射した光は、その直接光と円筒状部材２２に反射した光とが加わって、光触媒フィルタ装置３０の光入射窓５２ａ，５２ｂを通って、光触媒ファイバ束４４の両端部を照射する。
【００５１】
この光は、光触媒ファイバ束４４の内部を伝搬して、光触媒層を活性化し、光触媒作用を奏して光触媒ファイバ束４４を流れる被処理流体に含まれる有機物を分解・除去する。
この有機物が分解・除去された被処理流体４５は、流出孔５３より流出される。
【００５２】
本発明に係る実施の形態であるランプボックス３１，３１を使用した光触媒フィルタ装置３０は、先の実施の形態と同様、ランプボックス３１，３１の寸法を小型化し、開閉扉の開閉時における、ランプ２，２とランプボックス３１，３１に内蔵された物との衝突を避け、そして、ランプ２，２の収納又は交換等の保守を容易に行うことができる。
【００５３】
さらに、ランプボックス３１，３１に冷却手段を備えているので、ランプ２，２の過熱を防止することができ、発光強度を高く維持することができる。
【００５４】
【発明の効果】
以上詳説したとおり、本発明のランプボックスによれば、ランプを収納し又は交換する際に開閉する開閉扉を有しながら、ランプの長手方向の寸法が大きくなった場合でも小型化することができ、また、開閉扉の開閉時において、ランプボックスに内蔵された物とランプとの衝突を避けることができ、さらに、ランプの収納又は交換を容易に行うことができるランプボックスを提供できる。
【００５５】
さらに、ランプボックスに冷却機構を備えているので、ランプの過熱を防止することができ、ランプの発光強度を高く維持することができる。
【図面の簡単な説明】
【図１】本発明の第１の実施の形態に係るランプボックス１を示す図である。図１（ａ）は側面図を示し、図１（ｂ）は図１（ａ）のＸ−Ｘ線箇所の一部断面図を示し、図１（ｃ）は底面図を示し、図１（ｄ）はランプボックスの開閉扉側面部４ｂに設けられたスライド溝１８を示す。
【図２】第１の実施の形態に係るランプボックス１を示す図である。図２（ａ）は、ソケット支持板６をランプ２の照射方向と反対向きに後退させた状態のランプボックス１の側面図を示し、図２（ｂ）は図２（ａ）のランプボックス１を開いた状態における、Ｘ−Ｘ線箇所の一部断面図を示す。
【図３】本発明の第２の実施の形態に係るランプボックス３１，３１を使用した光触媒フィルタ装置３０の側面の一部断面図を示す。
【図４】従来技術のランプボックスの側面の断面図を示す。
【符号の説明】
１    ランプボックス
２    ランプ
３    ランプボックス本体
３ａ    上面部
４    開閉扉
４ａ    開閉扉底面部
４ｂ    開閉扉側面部
５    蝶番
６    ソケット支持板
６ａ    ソケット支持底面部
６ｂ    ソケット支持側面部
７    ソケット
７ａ    ソケット支柱部
７ｂ    ソケットフランジ
７ｃ    端子
１１    ソケット支柱貫通孔
１２    ソケット支持側面部貫通孔
１３    固定ネジ
１４    固定ナット
１８    スライド溝
１８ａ    端部
１８ｂ    端部
２２    円筒状部材
２３    ラッチ
２４    固定部
３０    光触媒フィルタ装置
３１    ランプボックス
３２    ランプボックス本体
３３    側面部
３４    側面部
３５    吸気孔
３６    排気孔
３７    エアフィルタ
３８    排気ファン
４４    光触媒ファイバ束
４５    被処理流体
４７    円筒状ケース
４８ａ，４８ｂ    フランジ
４９    流入孔
５２ａ，５２ｂ    光入射窓
５３    流出孔
６０    ランプボックス
６１    ランプ
６２    開閉扉
６３    ランプ支持枠
６４    ソケット
６５    リード線
６６    コネクタ
６７    把手
６８    固定用ネジ
【図１】
2004296244.tif 000003
【図２】
2004296244.tif 000004
【図３】
2004296244.tif 000005
【図４】
2004296244.tif 000006